(57)【要約】【課題】本発明は、フォーカシングにともなう収差変動を小さく抑え、しかも、レンズ系が大型化することなく最至近距離を十分に近くすることができるズームレンズ及びそれを用いた装置を提供する。【解決手段】本発明のズームレンズは、物体側から順に、正の屈折力をもつ第１レンズ群Ｇ１１、負の屈折力をもつ第２レンズ群Ｇ１２、負の屈折力をもつ第３レンズ群Ｇ１３、正の屈折力をもつ第４レンズ群Ｇ１４とを有し、前記第１レンズ群Ｇ１１と前記第４レンズ群Ｇ１４は広角端から望遠端に変倍する際、像面側から物体側に移動し、第１レンズ群Ｇ１１と第２レンズ群Ｇ１２の間隔Ｄ１は増大し、各レンズ群の間隔が変化するズームレンズにおいて、無限遠の被写体から近距離の被写体にフォーカシングする際、前記第２レンズ群Ｇ１２と前記第３レンズ群Ｇ１３がそれぞれ独立に移動することを特徴とする。【選択図】  図１
2004341060.tif 000002
【特許請求の範囲】
【請求項１】
物体側から順に、正の屈折力をもつ第１レンズ群、負の屈折力をもつ第２レンズ群、負の屈折力をもつ第３レンズ群、正の屈折力をもつ第４レンズ群とを有し、前記第１レンズ群と前記第４レンズ群は広角端から望遠端に変倍する際、像面側から物体側に移動し、第１レンズ群と第２レンズ群の間隔は増大し、各レンズ群の間隔が変化するズームレンズにおいて、無限遠の被写体から近距離の被写体にフォーカシングする際、前記第２レンズ群と前記第３レンズ群がそれぞれ独立に移動することを特徴とするズームレンズ。
【請求項２】
無限遠の被写体から、無限遠と最至近距離の間にある任意の有限距離の被写体にフォーカシングする際の第２レンズ群と第３レンズ群の移動量が、ズーム位置によって異なる所定の量であることを特徴とする請求項１に記載のズームレンズ。
【請求項３】
広角端における第２レンズ群の無限遠から至近距離へのフォーカシングによる移動量をＸ２Ｗ，第３レンズ群の無限遠から至近距離へのフォーカシングによる移動量をＸ３Ｗとするとき、次の条件式（１）を満足することを特徴とする請求項１に記載のズームレンズ。
−２＜Ｘ２Ｗ／Ｘ３Ｗ＜０．５  …              （１）
但し、像面方向への移動を正とする。
【発明の詳細な説明】
【０００１】
【発明の属する技術分野】
本発明は、銀塩カメラ、デジタルカメラ、ビデオカメラ等に使用されるズームレンズに関するものである。
【０００２】
【従来の技術】
従来、銀塩カメラ、デジタルカメラ、ビデオカメラ等に使用されるズームレンズにおいて、無限遠の被写体から近距離の被写体へのフォーカシングは、ズーム時に間隔を変える各レンズ群のうちの１つの群の全体または一部を移動させて行う方法が知られている。従来例としては、下記の
【特許文献１】または
【特許文献２】に記載されたズームレンズが知られている。例えば
【特許文献１】に示されている方法のように物体側から正、負、負、正の４群からなり、正の第１レンズ群を物体側に移動させることによりフォーカシングを行うものがある。また、
【特許文献２】に示されている方法のように正、負、正の３群を有し、負の第２レンズ群を物体方向に繰り出すことによってフォーカシングを行う方法がある。
このように単独の群のみでフォーカシングを行う場合、無限遠から最至近距離までのフォーカシング移動量はレンズ系全体の近軸パワー配置によって決まる。よって、これにより収差変動量を広角端から望遠端まで良好に補正するのは難しい。また、
【特許文献１】の方式のように正の第１レンズ群でフォーカシングを行う場合、第１レンズ群を繰り出すのにともなって、第１レンズ群を通る画面周辺の光線高が高くなり、第１レンズ群のレンズ径が大きくなるという問題や、繰り出し量が大きく最至近距離を近く出来ないという問題がある。また、
【特許文献２】の方式ように負の第２レンズ群でフォーカシングする方式は、広角端において第１レンズ群と第２レンズ群が接近しているため繰り出し量を大きくとれず、最至近距離を近く出来ないという問題がある。繰り出し量を大きくとるために無限遠合焦時の第１レンズ群と第２レンズ群の間隔を大きくとると第１レンズ群を通る画面周辺の光線高が高くなり、第１レンズ群のレンズ径が大きくなってしまう。さらに第１レンズ群と第２レンズ群の間隔が非点収差や歪曲収差の変動に影響を及ぼすので、近距離におけるこれらの収差の劣化が問題となる。
【０００３】
【特許文献１】：  特開平３−２８９６１２号公報
【特許文献２】：  特開平３−２２８００８号公報
【０００４】
【発明が解決しようとする課題】
本発明は、上記のような従来技術の有する問題点に鑑みてなされたもので、その目的は、フォーカシングにともなう収差変動を小さく抑え、しかも、レンズ系が大型化することなく最至近距離を十分に近くすることができるズームレンズ及びそれを用いた装置を提供することにある。
【０００５】
【課題を解決するための手段】
本発明は、物体側から順に、正の屈折力をもつ第１レンズ群、負の屈折力をもつ第２レンズ群、負の屈折力をもつ第３レンズ群、正の屈折力をもつ第４レンズ群とを有し、前記第１レンズ群と前記第４レンズ群は広角端から望遠端に変倍する際、像面側から物体側に移動し、第１レンズ群と第２レンズ群の間隔は増大し、各レンズ群の間隔が変化するズームレンズにおいて、無限遠の被写体から近距離の被写体にフォーカシングする際、前記第２レンズ群と前記第３レンズ群がそれぞれ独立に移動することを特徴とする。
【０００６】
また、本発明は、物体側から順に、正の屈折力をもつ第１レンズ群、負の屈折力をもつ第２レンズ群、負の屈折力をもつ第３レンズ群、正の屈折力をもつ第４レンズ群とを有し、前記第１レンズ群と前記第４レンズ群は広角端から望遠端に変倍する際、像面側から物体側に移動し、第１レンズ群と第２レンズ群の間隔は増大し、各レンズ群の間隔が変化するズームレンズにおいて、無限遠の被写体から近距離の被写体にフォーカシングする際、前記第２レンズ群と前記第３レンズ群がそれぞれ独立に移動し、かつ、無限遠の被写体から、無限遠と最至近距離の間にある任意の有限距離の被写体にフォーカシングする際の第２レンズ群と第３レンズ群の移動量が、ズーム位置によって異なる所定の量であることを特徴とする。
【０００７】
さらにまた、本発明は、物体側から順に、正の屈折力をもつ第１レンズ群、負の屈折力をもつ第２レンズ群、負の屈折力をもつ第３レンズ群、正の屈折力をもつ第４レンズ群とを有し、前記第１レンズ群と前記第４レンズ群は広角端から望遠端に変倍する際、像面側から物体側に移動し、第１レンズ群と第２レンズ群の間隔は増大し、各レンズ群の間隔が変化するズームレンズにおいて、無限遠の被写体から近距離の被写体にフォーカシングする際、前記第２レンズ群と前記第３レンズ群がそれぞれ独立に移動し、かつ、無限遠の被写体から、無限遠と最至近距離の間にある任意の有限距離の被写体にフォーカシングする際の第２レンズ群と第３レンズ群の移動量が、ズーム位置によって異なる所定の量であって、かつ、広角端における第２レンズ群の無限遠から至近距離へのフォーカシングによる移動量をＸ２Ｗ，第３レンズ群の無限遠から至近距離へのフォーカシングによる移動量をＸ３Ｗとするとき、次の条件式（１）を満足することを特徴とする。
−２＜Ｘ２Ｗ／Ｘ３Ｗ＜０．５  …              （１）
但し、像面方向への移動を正とする。
【０００８】
【発明の実施の形態】
以下、本発明の実施の形態を図示した実施例に基づき説明するが、説明に先立ち、本発明の作用効果について説明する。
本発明によればズームレンズ中の複数のレンズ群を独立に各ズーム位置において最適な移動量を移動させてフォーカシングを行うことにより、フォーカシングにともなう収差変動を小さく抑えながら、レンズ系が大型化することなく最至近距離を十分に近くすることができる。具体的には、物体側から正の第１レンズ群、負の第２レンズ群、負の第３レンズ群、正の第４レンズ群を有し、広角端から望遠端への変倍に際し第１レンズ群と第４レンズ群が物体側に移動し、第１レンズ群と第２レンズ群の間隔が増大するズームレンズにおいて、無限遠の被写体から近距離の被写体にフォーカシングする際、第２レンズ群と第３レンズ群がそれぞれ独立に移動する構成としている。
【０００９】
広角端においては前述のように第２レンズ群を繰り出してフォーカシングを行うと、最至近距離を十分に近くするには無限遠合焦時の第１レンズ群と第２レンズ群の間隔を広げなければならない。その結果、第１レンズ群のレンズ径が大きくなる。また第２レンズ群を移動させると非点収差や歪曲収差などの変動が大きいという問題がある。本発明によれば、広角端においては主に第３レンズ群を繰り出してフォーカシングを行うことにより、第１レンズ群と第２レンズ群の間隔をとることなく、収差変動も小さく抑えることが出来る。さらに第３レンズ群を被写体側に繰り出すと同時に第２レンズ群を第３レンズ群より少ない量もしくは像面側に繰り込むことにより、第３レンズ群の移動による収差変動をキャンセルすることが出来る。ここで請求項３に記載の発明のように広角端における第２レンズ群のフォーカシングによる移動量をＸ２Ｗ，第３レンズ群の移動量をＸ３Ｗとするとき、次の条件式（１）を満たすと一層好ましい。
−２＜Ｘ２Ｗ／Ｘ３Ｗ＜０．５  …                    （１）
但し、像面方向への移動を正とする。
【００１０】
条件式（１）はフォーカシング時の第３レンズ群の移動量に対する第２レンズ群の移動量の割合を規定したものである。条件式（１）の上限を超えて第２レンズ群の被写体側への繰り出し量が大きくなると、前記のように第１レンズ群のレンズ径の大型化やフォーカシング時の収差変動の増大につながる。また、下限を越えて第２レンズ群の像面側への繰り込み量が大きくなると、第２レンズ群の移動による結像位置の移動はフォーカス方向とは逆であるので、第３レンズ群の移動量が増大して好ましくない。
【００１１】
次に、Ｘ２Ｗ／Ｘ３Ｗ＝０の場合について説明する。広角端以外で第２レンズ群と第３レンズ群を独立した量駆動することによりフォーカシングさせることにより広角端ではフォーカシングで第２レンズ群を移動させない構成とすることができる。また、条件式（１）について、さらには、下記の範囲（１−１）とするとさらに好ましい。
−１＜Ｘ２Ｗ／Ｘ３Ｗ＜０．３  …          （１−１）
さらには、下記の範囲（１−２）とすると第１レンズ群の径の大きさを抑えつつ、全ズーム域で良好な合焦動作を行うことができる。
−０．８＜Ｘ２Ｗ／Ｘ３Ｗ＜−０．０１  …  （１−２）
【００１２】
また、望遠端においては変倍のために第１レンズ群と第２レンズ群の間隔が開く必要があり、ズームレンズ全体の全長をコンパクトにするには第２レンズ群と第３レンズ群の間隔が小さくすることが望ましい。この場合、第２レンズ群と第３レンズ群をともに繰り出してフォーカシングするのが望ましい。望遠端においては第１レンズ群と第２レンズ群の間隔が大きくなり、また、画角も小さくなる。そして、第２レンズ群の移動による収差変動は小さいため、前記のような広角端における問題は生ぜず、性能劣化も少なく十分に最至近距離を小さくすることができる。
【００１３】
ズーム間隔のスペースの効率的な利用とフォーカシングによる性能変化の少ない構成にするには無限遠の被写体から有限距離の被写体にフォーカシングする際に、第２レンズ群は広角端においては像側に、望遠端においては物体側に移動し、第３レンズ群は  ズーム状態によらず物体側に移動するのが好ましい。
このようなインナーフォーカス方式においては、単独のレンズ群でフォーカシングを行うか複数のレンズ群で行うかによらず、一定の有限距離に対するフォーカシングレンズ群の移動量がズーム位置によって変化するのは避けられない。
単独のレンズ群でフォーカシングを行う場合、レンズ系全体の近軸パワー配置が決まると、フォーカシングレンズ群の移動量は被写体距離によって一義的に決まる。
【００１４】
本発明によれば、複数のレンズ群を独立に移動させてフォーカシングを行う場合、各群の移動量の割合は近軸的には任意に選択することができる。この場合、スムーズな移動機構を実現するためには、無限遠の被写体から特定の有限距離の被写体にフォーカシングする際、第２レンズ群の移動量は広角端から望遠端まで連続的に変化することが望ましい。
【００１５】
また、無限遠の被写体から特定の有限距離の被写体にフォーカシングする際、第３レンズ群の移動量は広角端から望遠端まで連続的に変化するのが好ましい。
また、無限遠の被写体から特定の有限距離の被写体にフォーカシングする際、第３レンズ群を像から物体側に移動しその量を広角端から望遠端にゆくに従い大きくさせることにより、一層容易にスムーズな移動機構を実現しやすくなる。また、第２レンズ群の移動による収差の補正のかかり方がズーム状態によって急激に変化せず、全体としてバランスの良いズームレンズが得られる。
【００１６】
なお、フォーカスレンズ群の移動を、ズーム位置Ｚと被写体距離Ｌをパラメーターとしてｆ（Ｚ），ｇ（Ｚ）をそれぞれズームによるカムの回転角、フォーカシングによるカムの回転角としたとき、ｆ（Ｚ）＋ｇ（Ｌ）に対するひとつの関数曲線で表し、この関数曲線をカム形状とする場合、第２レンズ群、第３レンズ群をそれぞれ独立したｆ（Ｚ）＋ｇ（Ｌ）に対する関数曲線で表せるように、各ズーム位置における各群のフォーカシング移動量の割合を設定することが望ましい。
【００１７】
さらに本発明の正、負、負、正の屈折力を有するズームレンズ中の第２及び第３レンズ群でフォーカシングを行い、前述のように広角端においては第２レンズ群の繰り出し量は小さく、望遠端になるほど大きくなる場合には、第２レンズ群のカム曲線は極値を持つようにするのが望ましい。
【００１８】
上記の各発明において、さらに、広角端における無限遠合焦時の第１レンズ群と第２レンズ群との間隔Ｄ１２Ｗ、望遠端における無限遠合焦時の第１レンズ群と第２レンズ群との間隔をＤ１２Ｔとするときに、下記の条件式（２）を満たすことがより好ましい。
０．００１＜Ｄ１２Ｗ／Ｄ１２Ｔ＜０．１  …    （２）
条件式（２）は、下限値を越えると広角端での第１レンズ群と第２レンズ群との間隔が過度に小さくなるため、レンズ群を保持する鏡枠のどうしの干渉が生じやすくなる。一方、上限値を越えると、広角端時における第１レンズ群と第２レンズ群との間隔が広いため第１レンズ群の系が大きくなる。
さらに条件式（２）については、下記の範囲（２−１）とするとより好ましい。
０．００５＜Ｄ１２Ｗ／Ｄ１２Ｔ＜０．０７  …  （２−１）
さらには、下記の条件を（２−２）を満たすとさらに好ましい。
０．０１＜Ｄ１２Ｗ／Ｄ１２Ｔ＜０．０５  …    （２−２）
【００１９】
また、広角端における無限遠合焦時の第２レンズ群と第３レンズ群との間隔をＤ２３Ｗ、望遠端における無限遠合焦時の第２レンズ群と第３レンズ群との間隔をＤ２３Ｔとしたときに、下記の条件式（３）を満たすことが好ましい。
３．０＜Ｄ２３Ｗ／Ｄ２３Ｔ＜２０．０  …        （３）
条件式（３）は望遠端に対する広角端での第２、３レンズ群間の比を規定するものである。下限値を越えると、ズーム時の第２レンズ群と第３レンズ群との間隔の変化が小さくなるため、負の第２レンズ群と第３レンズ群の間隔を変えることによる収差変動の補正効果が小さくなる。一方、上限値を越えると、広角端での第２レンズ群と第３レンズ群との間隔が大きくなるため広角端での全長の短縮化の効果が小さくなる。
さらには、上記条件は下記の範囲（３−１）とするとさらに好ましい。
４．０＜Ｄ２３Ｗ／Ｄ２３Ｔ＜１０．０  …        （３−１）
また、下記の範囲（３−２）とするとさらに好ましい。
５．０＜Ｄ２３Ｗ／Ｄ２３Ｔ＜７．０  …          （３−２）
【００２０】
また、望遠端における第２レンズ群の無限遠から至近距離へのフォーカシングによる移動量をＸ２Ｔ，第３レンズ群の無限遠から至近距離へのフォーカシングによる移動量をＸ３Ｔとするとき、下記の条件式（４）を満たすことが好ましい。
０．７＜Ｘ２Ｔ／Ｘ３Ｔ＜１．５  …          （４）
この条件式（４）は、第２レンズ群と第３レンズ群の望遠端での合焦時の移動量比を規定するものである。
【００２１】
条件式（４）の下限値を越えると、合焦動作時の第２レンズ群の移動量が小さくなり、第２レンズ群と第３レンズ群とが干渉しやすくなるため至近距離が短くし難くなる。一方、上限値を越えると第３レンズ群の合焦時の移動量が小さくなり、第３レンズ群での合焦負担が小さくなる。
条件式（４）は、下記の範囲（４−１）を満たすとさらに好ましい。
０．８＜Ｘ２Ｔ／Ｘ３Ｔ＜１．３  …        （４−１）
あるいは、下記の範囲（４−２）を満たすとさらに好ましい。
０．９＜Ｘ２Ｔ／Ｘ３Ｔ＜１．１      …      （４−２）
上記の各例における、上限値のみ、若しくは、下限値のみを規定することができる。また、複数の条件式を同時に満たすようにすることもできる。
【００２２】
以下、本発明のズームレンズの実施の形態を図面及び数値データを用いて説明する。
実施例１
図１は、本発明によるズームレンズの第１実施例に係るレンズ構成を示す光軸に沿った断面図である。
図１において、（ａ）は広角端、（ｂ）は中間及び（ｃ）は望遠端での状態を示す。
図５は第１実施例における球面収差、非点収差、歪曲収差及び倍率色収差を示す図である。
【００２３】
実施例１のズームレンズは、図１に示すように物体側Ｘから撮像素子面Ｐに向かって順に、正屈折力の第１レンズ群Ｇ１１、負屈折力の第２レンズ群Ｇ１２、負屈折力の第３レンズ群Ｇ１３及び正屈折力の第４レンズ群Ｇ１４で構成されている。広角端（ａ）から望遠端（ｃ）に変倍する際には、第１レンズ群Ｇ１１と第４レンズ群Ｇ１４を像面側から物体側に移動させる。このとき、第１レンズ群Ｇ１１と第２レンズ群Ｇ１２の間隔Ｄ１が増大し、各レンズ群の間隔は変化する。また、無限遠の被写体から近距離の被写体にフォーカシングする際は、第２レンズ群Ｇ１２と第３レンズ群Ｇ１３がそれぞれ独立に移動させる。なお、図１において、Ｓは絞り、ＦＬ１は、赤外領域吸収フイルター、ＦＬ３は、ローパスフイルター、ＦＬ４は、ＣＣＤもしくはＣＭＯＳセンサーのカバーガラスである。また、Ｐは撮像面であって、ＣＣＤもしくはＣＭＯＳセンサーの有効撮像対角方向に置かれている。
【００２４】
第１レンズ群Ｇ１１は、物体側Ｘから順に負の第１レンズＬ１１、正の第２レンズＬ１２，正の第３レンズＬ１３で構成される。第１レンズＬ１１と第２レンズＬ１２は接合レンズを構成している。
第２レンズ群Ｇ１２は、物体側Ｘから順に負の第４レンズＬ１４、像側凹面が非球面の負の第５レンズＬ１５，負の第６レンズＬ１６及び正の第７レンズＬ１７で構成される。
第３レンズ群Ｇ１３は、物体側Ｘから順に正の第８レンズＬ１８、物体側凹面が非球面の負の第９レンズＬ１９で構成される。
第４レンズ群Ｇ１４は、物体側Ｘから順に像側凹面が非球面の正の第１０レンズＬ１１０、正の第１１レンズＬ１１１、負の第１２レンズＬ１１２、正の第１３レンズＬ１１３及び負の第１４レンズ１１４で構成される。これらのレンズのうち第１２レンズ、第１３レンズ、第１４レンズは接合レンズを構成している。
また、第３レンズ群Ｇ１３と第４レンズ群Ｇ１４との間には絞りＳが設けられており、第４レンズ群Ｇ１４の像側には、撮像面Ｐに向かって、順に赤外領域吸収フイルターＦＬ１、ローパスフイルターＦＬ２、ＣＣＤもしくはＣＭＯＳセンサーのカバーガラスＦＬ３が設けられている。
【００２５】
次に、第１実施例のズームレンズを構成する光学部材の数値データを示す。
なお、第１実施例の数値データにおいて、ｒ１、ｒ２、…は各レンズ面の曲率半径、ｄ１、ｄ２、…は各レンズの肉厚または空気間隔、ｎｄ１、ｎｄ２、…は各レンズまたは空気間隔のｄ線での屈折率、νｄ１、νｄ２、…は各レンズのアッべ数、Ｆｎｏ．はＦナンバー、ｆは全系焦点距離を表している。ｒ、ｄ、ｆの単位はｍｍである。
なお、非球面形状は、光軸方向をｚ、光軸に直交する方向をｙにとり、円錐係数をＫ、非球面係数をＡ４、Ａ６、Ａ８、Ａ１０としたとき、次の式で表される。
2004341060.tif 000003
なお、これらの記号は後述の他の実施例の数値データにおいても共通である。
【００２６】
数値データ１
（実施例１：図１）
2004341060.tif 000004
2004341060.tif 000005
2004341060.tif 000006
【００２７】
非球面係数
2004341060.tif 000007
【００２８】
（合焦時の可変間隔）
2004341060.tif 000008
【００２９】
実施例２
図２は、本発明によるズームレンズの第２実施例に係る光学構成を示す光軸に沿った断面図である。
図２において、（ａ）は広角端、（ｂ）は中間及び（ｃ）は望遠端での状態を示す。
図６は第２実施例における球面収差、非点収差、歪曲収差及び倍率色収差を示す図である。
【００３０】
実施例２のズームレンズは、図２に示すように物体側Ｘから撮像素子面Ｐに向かって順に、正屈折力の第１レンズ群Ｇ２１、負屈折力の第２レンズ群Ｇ２２、負屈折力の第３レンズ群Ｇ２３及び正屈折力の第４レンズ群Ｇ２４で構成されている。広角端（ａ）から望遠端（ｃ）に変倍する際には、第１レンズ群Ｇ２１と第４レンズ群Ｇ２４は像面側から物体側に移動させる。このとき、第１レンズ群Ｇ２１と第２レンズ群Ｇ２２の間隔Ｄ１が増大し、各レンズ群の間隔Ｄ２，Ｄ３，Ｄ４は変化する。また、無限遠の被写体から近距離の被写体にフォーカシングする際は、第２レンズ群Ｇ２２と第３レンズ群２３をそれぞれ独立に移動させる。なお、図２において、Ｓは絞りである。また、Ｐは撮像面であり、ＣＣＤもしくはＣＭＯＳセンサーの有効撮像対角方向に置かれている。
【００３１】
第１レンズ群Ｇ２１は、物体側Ｘから順に負の第１レンズＬ２１、正の第２レンズＬ２２，正の第３レンズＬ２３で構成される。第１レンズＬ２１と第２レンズＬ２２は、接合レンズを構成している。
第２レンズ群Ｇ２２は、物体側Ｘから順に負の第４レンズＬ２４、像側凹面が非球面の負の第５レンズＬ２５，負の第６レンズＬ２６及び正の第７レンズＬ２７で構成される。
第３レンズ群Ｇ２３は、物体側Ｘから順に負の第８レンズＬ２８、像側凸面が非球面の正の第９レンズＬ２９及び負の第１０レンズＬ２１０で構成される。第８レンズＬ２８と第９レンズＬ２９は接合レンズを構成している。
第４レンズ群Ｇ２４は、物体側Ｘから順に像側凹面が非球面の正の第１１レンズＬ２１１、正の第１２レンズＬ２１２、負の第１３レンズＬ２１３及び負の第１４レンズＬ２１４及び正の第１５レンズＬ２１５で構成される。第４レンズ群Ｇ２４の各レンズは、いずれも単レンズである。第３レンズ群Ｇ２３と第４レンズ群Ｇ２４との間には絞りＳが設けられている。また、第４レンズ群Ｇ２４の像側には、撮像面Ｐがある。
本実施例のスペックは、焦点距離１４．７１〜５３．８８ｍｍ、Ｆナンバー２．８５〜３．７５、２ω＝７４．５８〜２３．４９°のズームレンズである。
【００３２】
数値データ２
（実施例２：図２）
2004341060.tif 000009
2004341060.tif 000010
2004341060.tif 000011
【００３３】
非球面係数
2004341060.tif 000012
【００３４】
（合焦時の可変間隔）
2004341060.tif 000013
【００３５】
実施例３
図３は、本発明によるズームレンズの第３実施例に係る光学構成を示す光軸に沿った断面図である。
図３において、（ａ）は広角端、（ｂ）は中間及び（ｃ）は望遠端での状態を示す。
図７は第３実施例における球面収差、非点収差、歪曲収差及び倍率色収差を示す図である。
【００３６】
実施例３のズームレンズは、図３に示すように物体側Ｘから撮像素子面Ｐに向かって順に、正屈折力の第１レンズ群Ｇ３１、負屈折力の第２レンズ群Ｇ３２、負屈折力の第３レンズ群Ｇ３３及び正屈折力の第４レンズ群Ｇ３４で構成されている。広角端（ａ）から望遠端（ｃ）に変倍する際には、第１レンズ群Ｇ３１と第４レンズ群Ｇ３４は像面側から物体側に移動させる。このとき、第１レンズ群Ｇ３１と第２レンズ群Ｇ３２の間隔Ｄ１が増大し、各レンズ群の間隔Ｄ２、Ｄ３、Ｄ４、Ｄ５は変化する。また、無限遠の被写体から近距離の被写体にフォーカシングする際は、第２レンズ群Ｇ３２と第３レンズ群Ｇ３３をそれぞれ独立に移動させる。  図３において、Ｓは絞りであり、ＦＬ１は赤外領域吸収フイルター、ＦＬ２はフイルター（例えば紫外領域吸収フィルター）、ＦＬ３はローパスフイルター、ＦＬ４はＣＣＤもしくはＣＭＯＳセンサーのカバーガラスである。また、Ｐは撮像面であり、ＣＣＤもしくはＣＭＯＳセンサーの有効撮像対角方向に置かれている。
【００３７】
第１レンズ群Ｇ３１は、物体側Ｘから順に負の第１レンズＬ３１、正の第２レンズＬ３２，正の第３レンズＬ３３で構成される。第１レンズＬ３１と第２レンズＬ３２は接合レンズを構成している。
第２レンズ群Ｇ３２は、物体側Ｘから順に負の第４レンズＬ３４、負の第５レンズＬ３５，像側凹面が非球面の負の第６レンズＬ３６及び正の第７レンズＬ３７で構成される。
第３レンズ群Ｇ３３は、物体側Ｘから順に負の第８レンズＬ３８、正の第９レンズＬ３９及び物体側凹面が非球面の負の第１０レンズＬ３１０で構成される。
ここで第８レンズＬ３８と第９レンズＬ３９は接合レンズを構成している。
第４レンズ群Ｇ３４は、物体側Ｘから順に像側凹面が非球面の正の第１１レンズＬ３１１、負の第１２レンズＬ３１２、正の第１３レンズＬ３１３及び負の第１４レンズＬ３１４及び正の第１５レンズＬ３１５で構成される。この第４群のレンズのうち第１２レンズＬ３１２と第１３レンズＬ３１３ならびに第１４レンズＬ３１４と第１５レンズＬ３１５はそれぞれ接合レンズを構成している。第３レンズ群Ｇ３３と第４レンズ群Ｇ３４との間には絞りＳが設けられており。第４レンズ群Ｇ３４の後方に、赤外領域吸収フイルターＦＬ１、フイルターＦＬ２、ローパスフイルターＦＬ３が設けられている。さらに、ＣＣＤもしくはＣＭＯＳセンサーで形成される撮像面ＰにはカバーガラスＦＬ４が設けられている。
本実施例のスペックは、焦点距離１４．６９〜５３．０９ｍｍ、Ｆナンバー２．８５〜３．５７、２ω＝７４．３４〜２３．７°のズームレンズである。
【００３８】
数値データ３
（実施例３：図３）
数値データ３
2004341060.tif 000014
2004341060.tif 000015
2004341060.tif 000016
【００３９】
非球面係数
2004341060.tif 000017
【００４０】
（合焦時の可変間隔）
2004341060.tif 000018
【００４１】
実施例４
図４は、本発明によるズームレンズの第４実施例に係る光学構成を示す光軸に沿った断面図である。
図４において、（ａ）は広角端、（ｂ）は中間及び（ｃ）は望遠端での状態を示す。
図８は第４実施例における球面収差、非点収差、歪曲収差及び倍率色収差を示す図である。
【００４２】
実施例４のズームレンズは、図４に示すように物体側Ｘから撮像素子面Ｐに向かって順に、正屈折力の第１レンズ群Ｇ４１、負屈折力の第２レンズ群Ｇ４２、負屈折力の第３レンズ群Ｇ４３及び正屈折力の第４レンズ群Ｇ４４で構成されている。広角端（ａ）から望遠端（ｃ）に変倍する際には、第１レンズ群Ｇ４１と第４レンズ群Ｇ４４は像面側から物体側に移動させる。このとき、第１レンズ群Ｇ４１と第２レンズ群Ｇ４２の間隔Ｄ１が増大し、各レンズ群の間隔Ｄ２，Ｄ３，Ｄ４、（Ｄ５）は変化する。また、無限遠の被写体から近距離の被写体にフォーカシングする際は、第２レンズ群Ｇ４２と第３レンズ群Ｇ４３をそれぞれ独立に移動させる。図４において、Ｓは絞り、Ｓ２はフレアカット絞り、ＦＬ１は赤外領域吸収フイルター、ＦＬ２はフイルター、ＦＬ３はローパスフイルター、ＦＬ４はＣＣＤもしくはＣＭＯＳセンサーのカバーガラスである。また、Ｐは撮像面であり、上記センサーの有効撮像対角方向に置かれている。
【００４３】
第１レンズ群Ｇ４１は、物体側Ｘから順に負の第１レンズＬ４１、正の第２レンズＬ４２，正の第３レンズＬ４３で構成される。第１レンズＬ４１と第２レンズＬ４２は接合レンズを構成している。
第２レンズ群Ｇ４２は、物体側Ｘから順に負の第４レンズＬ４４、負の第５レンズＬ４５，負の第６レンズＬ４６及び正の第７レンズＬ４７で構成される。
第３レンズ群Ｇ４３は、物体側Ｘから順に物体側凸面が非球面の負の第８レンズＬ４８、正の第９レンズＬ４９及び負の第１０レンズＬ４１０で構成される。第８レンズＬ４８と第９レンズＬ４９は接合レンズを構成している。
第４レンズ群Ｇ４４は、物体側Ｘから順に物体側凸面が非球面の正の第１１レンズＬ４１１、負の第１２レンズＬ４１２、像側凸面が非球面の正の第１３レンズＬ４１３及び負の第１４レンズＬ４１４及び正の第１５レンズＬ４１５で構成される。第１２レンズＬ４１２と第１３レンズＬ４１３並びに第１４レンズＬ４１４と第１５レンズＬ４１５はそれぞれ接合レンズを構成している。第３レンズ群Ｇ４３と第４レンズ群Ｇ４４との間には絞りＳが設けられており、また、第４レンズ群Ｇ４４のレンズＬ４１５の像側には、ほぼ矩形状のフレアカット絞りＳ２が設けられている。さらに、撮像面Ｐに向かって順に赤外領域吸収フイルターＦＬ１、フイルターＦＬ２、ローパスフイルターＦＬ３及びカバーガラスＦＬ４が設けられている。また、撮像面ＰはＣＣＤもしくはＣＭＯＳセンサーで形成されている。
本実施例のスペックは、焦点距離１４．６９〜５３．０９ｍｍ、Ｆナンバー２．８５〜３．５７、２ω＝７４．３４〜２３．７０°のズームズームレンズである。
【００４４】
数値データ４
（実施例４：図４）
2004341060.tif 000019
2004341060.tif 000020
2004341060.tif 000021
【００４５】
非球面係数
2004341060.tif 000022
【００４６】
（合焦時の可変間隔）
2004341060.tif 000023
【００４７】
以上説明した本発明のズームレンズは、銀塩またはデジタル一眼レフレックスカメラに適用可能のものである。これらを以下に例示する。
【００４８】
図９は、本発明のズームレンズを撮影レンズに用い、撮像素子として小型のＣＣＤまたはＣ−ＭＯＳ等を用いた一眼レフレックスカメラを示す。図９において、１は一眼レフレックスカメラ、２は撮影レンズ、３は撮影レンズ２を一眼レフレックスカメラ１に着脱可能とするマウント部であり、スクリュータイプのマウントやバヨネットタイプのマウント等が用いられる。この例では、バヨネットタイプのマウントを用いている。また、４は撮像素子画面、５は撮影レンズ２の光路６上のレンズ系と撮像素子画面４との間に配置されたクイックリターンミラー、７はクイックリターンミラーより反射された光路に配置されたファインダースクリーン、８はペンタプリズム、９はファインダー、Ｅは観察者の眼（アイポイント）である。このような構成の一眼レフレックスカメラ１の撮影レンズ２として、本発明のズームレンズが用いられる。
【００４９】
以上説明したように、本発明のズームレンズは、特許請求の範囲に記載された発明の他に、次の（イ）乃至（タ）に示すような特徴も備えている。
（イ）以下の条件式（１―１）を満足することを特徴とする請求項３に記載のズームレンズ。
−１＜Ｘ２Ｗ／Ｘ３Ｗ＜０．３  …          （１―１）
（ロ）以下の条件式（１−２）を満足することを特徴とする請求項３に記載のズームレンズ。
−０．８＜Ｘ２Ｗ／Ｘ３Ｗ＜−０．０１  …  （１−２）
（ハ）無限遠の被写体から有限距離の被写体にフォーカシングする際に、第２レンズ群は、広角端においては像側に移動し、望遠端においては物体側に移動し、第３レンズ群はズーム状態によらず物体側に移動することを特徴とする請求項１乃至３、上記（イ）または（ロ）の何れかに記載のズームレンズ。
（ニ）無限遠の被写体から特定の有限距離の被写体にフォーカシングする際の第２レンズ群の移動量は、広角端から望遠端まで連続的に変化することを特徴とする上記（ハ）に記載のズームレンズ。
（ホ）無限遠の被写体から特定の有限距離の被写体にフォーカシングする際、第３レンズ群の移動量は、広角端から望遠端まで連続的に変化することを特徴とする上記（ハ）または（ホ）に記載のズームレンズ。
（ヘ）無限遠の被写体から特定の有限距離の被写体にフォーカシングする際、第３レンズ群は物体側に移動し、その移動量は広角端から望遠端にゆくに従って大きくなることを特徴とする上記（ホ）に記載のズームレンズ。
（ト）広角端における無限遠合焦時の第１レンズ群と第２レンズ群との間隔Ｄ１２Ｗ、望遠端における無限遠合焦時の第１レンズ群と第２レンズ群との間隔をＤ１２Ｔとするときに、下記の条件（２）を満足することを特徴とする請求項１乃至３、上記（イ）乃至（へ）の何れかに記載のズームレンズ。
０．００１＜Ｄ１２Ｗ／Ｄ１２Ｔ＜０．１  …    （２）
（チ）下記の条件式（２−１）を満足することを特徴とする上記（ト）に記載のズームレンズ。
０．００５＜Ｄ１２Ｗ／Ｄ１２Ｔ＜０．０７  …  （２−１）
（リ）下記の条件式（２−２）を満足することを特徴とする上記（ト）に記載のズームレンズ。
０．０１＜Ｄ１２Ｗ／Ｄ１２Ｔ＜０．０５  …    （２−２）
（ヌ）広角端における無限遠合焦時の第２レンズ群と第３レンズ群との間隔をＤ２３Ｗ、望遠端における無限遠合焦時の第２レンズ群と第３レンズ群との間隔をＤ２３Ｔとしたときに、
下記の条件式（３）を満足することを特徴とする請求項１乃至３、上記（イ）乃至（リ）の何れかに記載のズームレンズ。
３．０＜Ｄ２３Ｗ／Ｄ２３Ｔ＜２０．０  …        （３）
（ル）下記の条件式（３−１）を満足することを特徴とする上記（ヌ）に記載のズームレンズ。
４．０＜Ｄ２３Ｗ／Ｄ２３Ｔ＜１０．０  …        （３−１）
（オ）下記の条件式（３−２）を満足することを特徴とする上記（ヌ）に記載のズームレンズ。
５．０＜Ｄ２３Ｗ／Ｄ２３Ｔ＜７．０  …          （３−２）
（ワ）望遠端における第２レンズ群の無限遠から至近距離へのフォーカシングによる移動量をＸ２Ｔ，第３レンズ群の無限遠から至近距離へのフォーカシングによる移動量をＸ３Ｔとするとき、下記の条件式（４）を満足することを特徴とする上記（ヌ）乃至（オ）の何れかに記載のズームレンズ。
０．７＜Ｘ２Ｔ／Ｘ３Ｔ＜１．５  …          （４）
（カ）下記の条件式（４−１）を満足することを特徴とする上記（ワ）に記載のズームレンズ。
０．８＜Ｘ２Ｔ／Ｘ３Ｔ＜１．３  …          （４−１）
（ヨ）下記の条件式（４−２）を満足することを特徴とする上記（ワ）に記載のズームレンズ。
０．９＜Ｘ２Ｔ／Ｘ３Ｔ＜１．１  …          （４−２）
（タ）請求項１乃至３、上記（イ）乃至（ヨ）の何れかに記載のズームレンズを有し、且つ、該ズームレンズの像面側に、カメラと接続可能なレンズマウント部を有することを特徴とするズームレンズ装置。
【００５０】
上記実施例１〜４について上記の条件式（１）乃至（４）により計算した数値の表を以下に示す。
2004341060.tif 000024
【００５１】
【発明の効果】
上述の如く本発明によれば、フォーカシングにともなう収差変動を小さく抑えると共に、レンズ系が大型化することなく最至近距離を十分に近くすることができるズームレンズを提供することができる。
【図面の簡単な説明】
【図１】本発明によるズームレンズの第１実施例に係る光学構成を示す光軸に沿った断面図である。
【図２】本発明によるズームレンズの第２実施例に係る光学構成を示す光軸に沿った断面図である。
【図３】本発明によるズームレンズの第３実施例に係る光学構成を示す光軸に沿った断面図である。
【図４】本発明によるズームレンズの第４実施例に係る光学構成を示す光軸に沿った断面図である。
【図５】本発明によるズームレンズの第１実施例に係る球面収差、非点収差、歪曲収差及び倍率色収差を示す図である。
【図６】本発明によるズームレンズの第２実施例に係る球面収差、非点収差、歪曲収差及び倍率色収差を示す図である。
【図７】本発明によるズームレンズの第３実施例に係る球面収差、非点収差、歪曲収差及び倍率色収差を示す図である。
【図８】本発明によるズームレンズの第４実施例に係る球面収差、非点収差、歪曲収差及び倍率色収差を示す図である。
【図９】本発明のズームレンズを撮影レンズとして用いる一眼レフレックスカメラの構造図である。
【符号の説明】
１            一眼レフレックスカメラ
２            撮影レンズ
３            マウント部
４            撮像素子画面
５            クイックリターンミラー
６            光路
７            ファインダースクリーン
８            ペンタプリズム
９            ファインダー
Ｅ                          観察者の眼（アイポイント）
Ｓ            明るさ絞り
Ｓ２          フレアーカット絞り
ＦＬ１        赤外領域吸収フイルター
ＦＬ２        フイルター
ＦＬ３        ローパスフイルター
ＦＬ４        カバーガラス
Ｐ            撮像素子面
Ｘ            物体側
Ｇ１１、Ｇ２１、Ｇ３１、Ｇ４１    第１レンズ群
Ｇ１２、Ｇ２２、Ｇ３２、Ｇ４２    第２レンズ群
Ｇ１３、Ｇ２３、Ｇ２３、Ｇ２３    第３レンズ群
Ｇ１４、Ｇ２４、Ｇ３４、Ｇ４４    第４レンズ群
Ｌ１１、Ｌ２１、Ｌ３１、Ｌ４１    第１レンズ
Ｌ１２、Ｌ２２、Ｌ３２、Ｌ４２    第２レンズ
Ｌ１３、Ｌ２３、Ｌ３３、Ｌ４３    第３レンズ
Ｌ１Ｎ、Ｌ２Ｎ、Ｌ３Ｎ、Ｌ４Ｎ    第Ｎレンズ
【図１】
2004341060.tif 000025
【図２】
2004341060.tif 000026
【図３】
2004341060.tif 000027
【図４】
2004341060.tif 000028
【図５】
2004341060.tif 000029
【図６】
2004341060.tif 000030
【図７】
2004341060.tif 000031
【図８】
2004341060.tif 000032
【図９】
2004341060.tif 000033